(57)【要約】  【課題】  不正解錠を確実に防止することができ、操作性に優れる引き戸用錠を提供する。  【解決手段】  本発明の内側引き戸用錠１０は、鎌片３０、鎌片操作体３１、移動阻止手段３６及び内側操作部材３７を有し、内側操作部材３７又は外側の引き戸に設置される可動部により鎌片操作体３１を上下方向に移動させて、鎌片３０を受け穴に進入・退出する。また、移動阻止手段３６は鎌片操作体３１の移動を選択的に阻止することができ、鎌片操作体３１の移動を阻止する状態では、鎌片３０が受け穴に進入している状態を維持する。さらに、可動部を操作した場合には移動阻止手段３６による鎌片操作体３１の移動の阻止を解除して、鎌片３０を退出させることができる。【選択図】  図２
2006144317.tif 000002
【特許請求の範囲】
【請求項１】
２枚の引き戸の内側に設置され、鎌片、鎌片操作体及び内側操作部を有し、前記内側操作部又は外側の引き戸に設置される錠により鎌片操作体を移動させて、鎌片を外側の引き戸に設けられた受け穴に進入・退出することにより施錠・解錠を行うことができる引き戸用錠において、
鎌片操作体の移動を阻止することができ、移動を阻止するかどうかを選択できる移動阻止手段が設けられ、鎌片操作体の移動を阻止する状態が選択された場合には、鎌片が受け穴に進入している状態を維持して退出する状態への鎌片操作体の移動を阻止するものであり、さらに、外側の引き戸に設置される錠を操作した場合には鎌片操作体の移動の阻止を解除して鎌片が受け穴に進入している状態から退出する状態へ鎌片操作体の移動を認容することを特徴とする引き戸用錠。
【請求項２】
所定の合い鍵によって引き戸の内側から操作可能なモード切換錠が設けられ、移動阻止手段の鎌片操作体の移動を阻止するかどうかの選択は、モード切換錠を用いて行われることを特徴とする請求項１に記載の引き戸用錠。
【請求項３】
モード切換錠の合い鍵は、外側の引き戸に設置される錠の合い鍵と同じものであることを特徴とする請求項２に記載の引き戸用錠。
【請求項４】
棒部を有する連動部材と、固定ピンとが設けられ、前記連動部材は鎌片操作体に傾斜可能に保持されており、前記棒部には切り欠き部を有し、鎌片が突出した状態で切り欠き部の位置は固定ピンの位置と合致する位置であって、連動部材が傾斜することにより切り欠き部と固定ピンとが係合して鎌片操作体の移動を阻止することができることを特徴とする請求項１〜３のいずれかに記載の引き戸用錠。
【請求項５】
鎌片が突出した状態で、外側の引き戸に設置される錠により鎌片操作体を移動させる場合には、連動部材の傾斜を元に戻して切り欠き部と固定ピンとの係合を解くことが可能であることを特徴とする請求項４に記載の引き戸用錠。
【請求項６】
鎌片操作体は上下方向に移動するものであって、外側の引き戸に設置される錠に設けられる可動部を上方に移動させて、鎌片操作体を前記可動部により押し上げることにより鎌片を退出することができるものであり
連動部材には傾斜によって下方に回動する板部が設けられ、前記可動部を上方に移動する際に連動部材の板部を上方に回動させることができることを特徴とする請求項４又は５に記載の引き戸用錠。
【請求項７】
内外２枚の引き戸にそれぞれに取り付けられる１組の錠を有し、内側の引き戸側に取り付けられる内側引き戸用錠には鎌片、鎌片操作体及び内側操作部が設けられ、外側の引き戸側に取り付けられる外側引き戸用錠には受け穴及び可動部が設けられ、内側操作部又は可動部を操作することにより鎌片操作体を移動させて前記鎌片を受け穴に進入・退出することにより施錠・解錠を行うことができる引き戸用錠において、
内側引き戸用錠には鎌片操作体の移動を阻止することができ、移動を阻止するかどうかを選択できる移動阻止手段が設けられ、鎌片操作体の移動を阻止する状態が選択された場合には、鎌片が受け穴に進入している状態を維持して退出する状態への鎌片操作体の移動を阻止するものであり、さらに、可動部を操作した場合には鎌片操作体の移動の阻止を解除して鎌片が受け穴に進入している状態から退出する状態へ鎌片操作体の移動を認容することを特徴とする引き戸用錠。
【発明の詳細な説明】
【技術分野】
【０００１】
本発明は、引き戸の施錠に用いられる引き戸用錠に関するものである。
【背景技術】
【０００２】
従来より、引き戸の施錠のため、引き戸用錠が用いられている。この引き戸用錠は、図１１に示されるように、内外２枚の引き違いに設けられた引き戸９０、９１に設けられ、引き戸を閉じた状態で引き戸が重なっている部分の、いわゆる召し合わせ部に設けられている。
【０００３】
引き戸用錠は、鎌片と内側操作部１０３が設けられた内側引き戸用錠１００と、受け穴と合い鍵を外側から操作することができる所定の錠部材が設けられた外側引き戸用錠１０１とを有している。そして、内側引き戸用錠１００を内側の引き戸９０に取り付け、外側引き戸用錠１０１を外側の引き戸９１に取り付けた構造となっている。
そして、鎌片は回転可能であり外側に向かって突出させることができ、突出すると受け穴に進入して施錠状態となり、退入すると解錠状態となる。この鎌片の操作は、内側操作部１０３や合い鍵によって行われる。
【０００４】
引き戸の内側から施解錠する場合には、引き戸の内側から内側操作部１０３を操作して、鎌片を回転させて行う。また、引き戸の外側から施解錠する場合には、合い鍵によって所定の錠部材を操作して、鎌片を回転させて行う。
【０００５】
そして、施錠状態では、内側引き戸用錠１００に設けられた鎌片が、外側引き戸用錠１０１の受け穴に進入した状態を維持するので、内側及び外側の引き戸９０、９１を移動させることができず、施錠状態を維持することができる。
【０００６】
近年、施錠状態で合い鍵を用いずに解錠する不正解錠が行われることがあり、問題となっている。この不正解錠の１つの方法として、外側から折り曲げた針金などを挿入して、内側操作部１０３を外側から操作し、鎌片を回転させて解錠する方法があった。そして、特許文献１などに、不正解錠を防止することができる錠が開示されている。
【特許文献１】特開２００４−４４１８０号公報
【発明の開示】
【発明が解決しようとする課題】
【０００７】
特許文献１の引き戸錠では、内側操作部を操作して正常に解錠する場合には、操作摘みを摘んでストッパーを回動させ、この状態で内側操作部を移動させることにより行われる。このストッパーは露出しているので、何らかの方法でストッパーを回動することができた場合には、不正解錠を防ぐことができない。
【０００８】
さらに、不正解錠を防ぐ別の方法として、内側に別途補助錠などを設けて鎌片の操作を不能とすることができるようにする方法や、また、外側から合い鍵によって施錠した場合に、内側操作部による解錠を不能にする方法が考えられる。
しかし、前者の方法は内側から補助錠によって鎌片の操作を不能とすると、外側から合い鍵による正常な解錠ができなくなる。また、後者の方法では、外側から合い鍵によって施錠すると内側からの解錠ができなくなり、内側にいる者による正常な解錠を妨げる。そして、これらの正常な解錠を可能とするためには、さらに、別の機構が追加となり、また、使用者が追加の操作が必要になってしまう。
【０００９】
そこで、本発明は、上記した不正解錠を確実に防止することができ、操作性に優れる引き戸用錠を提供することを課題とする。
【課題を解決するための手段】
【００１０】
上記した目的を達成すべく提供される請求項１に記載の発明は、２枚の引き戸の内側に設置され、鎌片、鎌片操作体及び内側操作部を有し、前記内側操作部又は外側の引き戸に設置される錠により鎌片操作体を移動させて、鎌片を外側の引き戸に設けられた受け穴に進入・退出することにより施錠・解錠を行うことができる引き戸用錠において、鎌片操作体の移動を阻止することができ、移動を阻止するかどうかを選択できる移動阻止手段が設けられ、鎌片操作体の移動を阻止する状態が選択された場合には、鎌片が受け穴に進入している状態を維持して退出する状態への鎌片操作体の移動を阻止するものであり、さらに、外側の引き戸に設置される錠を操作した場合には鎌片操作体の移動の阻止を解除して鎌片が受け穴に進入している状態から退出する状態へ鎌片操作体の移動を認容することを特徴とする引き戸用錠である。
【００１１】
請求項１に記載の発明によれば、移動阻止手段が設けられ、移動阻止手段によって鎌片操作体の移動を阻止することができ、移動を阻止するかどうかを選択でき、鎌片操作体の移動を阻止する状態が選択された場合には、鎌片が受け穴に進入している状態を維持して退出する状態への鎌片操作体の移動を阻止するものであるので、外側から内側操作部を作動させて行う不正解錠を防ぐことができる。また、外側の引き戸に設置される錠を操作した場合には鎌片操作体の移動の阻止を解除して鎌片が受け穴に進入している状態から退出する状態へ鎌片操作体の移動を認容するので、外側から正常に解錠する場合には、解錠を行うことができる。
【００１２】
請求項２に記載の発明は、所定の合い鍵によって引き戸の内側から操作可能なモード切換錠が設けられ、移動阻止手段の鎌片操作体の移動を阻止するかどうかの選択は、モード切換錠を用いて行われることを特徴とする請求項１に記載の引き戸用錠である。
【００１３】
請求項２に記載の発明によれば、移動阻止手段の鎌片操作体の移動を阻止するかどうかの選択をモード切換錠により行うことができるので、移動阻止手段の鎌片操作体の移動を阻止するかどうかの状態を不正に変更することができず、安全性が高い。
【００１４】
請求項３に記載の発明は、モード切換錠の合い鍵は、外側の引き戸に設置される錠の合い鍵と同じものであることを特徴とする請求項２に記載の引き戸用錠である。
【００１５】
請求項３に記載の発明によれば、モード切換錠の合い鍵は、外側の引き戸に設置される錠の合い鍵と同じであるので、使用者は鍵を選ぶ必要が無く操作しやすい。
【００１６】
請求項４に記載の発明は、棒部を有する連動部材と、固定ピンとが設けられ、前記連動部材は鎌片操作体に傾斜可能に保持されており、前記棒部には切り欠き部を有し、鎌片が突出した状態で切り欠き部の位置は固定ピンの位置と合致する位置であって、連動部材が傾斜することにより切り欠き部と固定ピンとが係合して鎌片操作体の移動を阻止することができることを特徴とする請求項１〜３のいずれかに記載の引き戸用錠である。
【００１７】
請求項４に記載の発明によれば、切り欠き部が設けられた棒部を有する連動部材と、固定ピンが設けられ、連動部材が傾斜することにより切り欠き部と固定ピンとが係合して鎌片操作体の移動を阻止することができる。
【００１８】
請求項５に記載の発明は、鎌片が突出した状態で、外側の引き戸に設置される錠により鎌片操作体を移動させる場合には、連動部材の傾斜を元に戻して切り欠き部と固定ピンとの係合を解くことが可能であることを特徴とする請求項４に記載の引き戸用錠である。
【００１９】
請求項５に記載の発明によれば、連動部材の傾斜を元に戻して切り欠き部と固定ピンとの係合を解くことが可能であるので、鎌片操作体の移動を阻止の解除が容易である。
【００２０】
請求項６に記載の発明は、鎌片操作体は上下方向に移動するものであって、外側の引き戸に設置される錠に設けられる可動部を上方に移動させて、鎌片操作体を前記可動部により押し上げることにより鎌片を退出することができるものであり、連動部材には傾斜によって下方に回動する板部が設けられ、前記可動部を上方に移動する際に連動部材の板部を上方に回動させることができることを特徴とする請求項４又は５に記載の引き戸用錠である。
【００２１】
請求項６に記載の発明によれば、外側の引き戸に設置される錠に設けられる可動部を上方に移動させて、鎌片操作体を前記可動部により押し上げることにより鎌片を退出することができるものであり、前記可動部を上方に移動する際に連動部材の板部を上方に回動させることができるので鎌片操作体の移動を阻止の解除が容易である。
【００２２】
請求項７に記載の発明は、 内外２枚の引き戸にそれぞれに取り付けられる１組の錠を有し、内側の引き戸側に取り付けられる内側引き戸用錠には鎌片、鎌片操作体及び内側操作部が設けられ、外側の引き戸側に取り付けられる外側引き戸用錠には受け穴及び可動部が設けられ、内側操作部又は可動部を操作することにより鎌片操作体を移動させて前記鎌片を受け穴に進入・退出することにより施錠・解錠を行うことができる引き戸用錠において、内側引き戸用錠には鎌片操作体の移動を阻止することができ、移動を阻止するかどうかを選択できる移動阻止手段が設けられ、鎌片操作体の移動を阻止する状態が選択された場合には、鎌片が受け穴に進入している状態を維持して退出する状態への鎌片操作体の移動を阻止するものであり、さらに、可動部を操作した場合には鎌片操作体の移動の阻止を解除して鎌片が受け穴に進入している状態から退出する状態へ鎌片操作体の移動を認容することを特徴とする引き戸用錠である。
【００２３】
請求項７に記載の発明によれば、移動阻止手段が設けられ、移動阻止手段によって鎌片操作体の移動を阻止することができ、移動を阻止するかどうかを選択でき、鎌片操作体の移動を阻止する状態が選択された場合には、鎌片が受け穴に進入している状態を維持して退出する状態への鎌片操作体の移動を阻止するものであるので、外側から内側操作部を作動させて行う不正解錠を防ぐことができる。また、可動部を操作した場合には鎌片操作体の移動の阻止を解除して鎌片が受け穴に進入している状態から退出する状態へ鎌片操作体の移動を認容するので、外側から正常に解錠する場合には、解錠を行うことができる。
【発明の効果】
【００２４】
本発明の引き戸用錠によれば、不正解錠を確実に防止することができる。
【発明を実施するための最良の形態】
【００２５】
以下さらに本発明の具体的実施例について説明する。図１は、本発明の引き戸用錠を示す模式図である。図２は内側引き戸用錠を示す分解斜視図である。図３は、（ａ）が内側引き戸用錠を示す正面図であり、（ｂ）が（ａ）の状態から内側操作部材を取り外した状態を示す正面図である。図４は鎌片操作体及び移動阻止手段を示す斜視図である。図５（ａ）及び（ｂ）は鎌片操作体の上部付近を示した斜視図である。図６（ａ）及び（ｂ）は連結部材を示した斜視図である。図７〜図１０は、鎌片操作体及び移動阻止手段の動きを示す側面図である。図１１は、引き戸用錠の取り付け状態を示す斜視図である。
【００２６】
本発明の第１の実施形態における引き戸用錠１は、図１に示されており、内側の引き戸９０に取り付けられる内側引き戸用錠１０と外側の引き戸９１に取り付けられる外側引き戸用錠１１とを有している。そして、内側引き戸用錠１０の鎌片３０が、外側引き戸用錠１１の受け穴２０に進入することにより施錠をすることができる。そして、引き戸用錠１の取り付け状態は、図１１に示すように、内側の引き戸９０と外側の引き戸９１の重なっている部分の、いわゆる召し合わせ部に設けられている。
なお、以下の説明においては、内側引き戸用錠１０が設けられる側を正面側、外側引き戸用錠１１が設けられる側を背面側とし、正面側と背面側との間の方向を前後方向として説明する。
【００２７】
内側引き戸用錠１０は、図２、図３に示されるように、鎌片３０、鎌片操作体３１、筐体３５、移動阻止手段３６及び内側操作部材３７が設けられている。
【００２８】
筐体３５は、図２、図３に示されるように、縦長のケースであり、可動体進入孔４５、鎌片突出孔４６及びスリット４７が設けられている。可動体進入孔４５と鎌片突出孔４６とは背面側に設けられ、スリット４７は正面側に設けられている。また、可動体進入孔４５は鎌片突出孔４６よりも上側に位置している。
そして、鎌片３０、鎌片操作体３１及び移動阻止手段３６は、筐体３５の内部に配置され、内側操作部材３７は筐体３５よりも正面側に配置されている。
【００２９】
鎌片３０は、図１に示すように、長孔３０ａと軸孔３０ｂを有し、軸孔３０ｂに挿通された軸部４０を中心として回転することができる。そして、軸部４０を中心として回転することにより、鎌先３０ｃが鎌片突出孔４６から突出することができ、後述する外側引き戸用錠１１の受け穴２０に進入・退出することができる。
【００３０】
また、長孔３０ａにはピン４１が挿入されており、鎌片３０の回転は、ピン４１の上下動によって行われる。
そして、ピン４１が下方に移動した場合には、鎌片３０は受け穴２０に進入して施錠状態となり、ピン４１が上方に移動した場合には、鎌片３０は受け穴２０から退出して解錠状態となる。
【００３１】
鎌片操作体３１は、図４に示されるように、上下方向に長く断面「コ」字状の部材であり、「コ」字状により形成されるスリット部分は背面側に配置している。
また、鎌片操作体３１には、下方に切り欠き部４３が設けられ、上方に板部３２が設けられ、さらに、切り欠き部４３と板部３２との間には、操作用孔４４が設けられている。そして、鎌片操作体３１は、上下方向にスライドすることができる。
【００３２】
また、鎌片３０の回転に用いられるピン４１は、鎌片操作体３１の切り欠き部４３に配置されている。そのため、鎌片操作体３１の上下動によりピン４１も上下動する。また、このピン４１は、筐体３５に設けられた長孔４２に沿って移動する。したがって、ピン４１は長孔４２に沿うように移動する。
【００３３】
鎌片操作体３１の板部３２は、水平方向に配置されており、図２に示されるように、可動体進入孔４５付近に配置されている。そして、後述するように、外側引き戸用錠１１の可動体２１が可動体進入孔４５から進入して板部３２を押して、鎌片操作体３１を上下動させることができる。
【００３４】
また、鎌片操作体３１の操作用孔４４は、筐体３５のスリット４７から露出している。そのため、内側操作部材３７の係合突起５０を正面側から背面側へ向かって、操作用孔４４に挿入することができる。
【００３５】
内側操作部材３７は、筐体３５よりも正面側に配置されており、スライド部材４８と固定部材４９を有している。
スライド部材４８には、係合突起５０と操作摘み５１が設けられている。係合突起５０は操作用孔４４に挿入されており、スライド部材４８と鎌片操作体３１とが連動する。また、操作摘み５１は、正面側に露出しており内側から操作をすることができる。また、固定部材４９は、筐体３５にねじなどで固定されている。
したがって、操作摘み５１を上下方向に移動させると、鎌片操作体３１が連動して移動させることができ、鎌片３０の回転が可能となる。
【００３６】
移動阻止手段３６は、図２、図４などに示されるように、連動部材５５、回転体５６、モード切換錠５７を有している。
連動部材５５は、鎌片操作体３１の上下動に伴って移動するものであり、板部５５ａと棒部５５ｂを有している。連動部材５５の板部５５ａは、鎌片操作体３１の板部３２とほぼ同じ大きさである。
また、棒部５５ｂは長尺の板状であり、切り欠き５５ｄを有し、板部５５ａの面に対して垂直方向、すなわち、上下方向に延びている。
【００３７】
そして、図４に示されるように、板部５５ａは、鎌片操作体３１の板部３２の下側に、板部５５ａの面と板部３２の面とが平行となるように配置して、また、棒部５５ｂは上下方向に延びている。
【００３８】
鎌片操作体３１の上部の形状は、図５に示されており、鎌片操作体３１の板部３２に上下方向に貫通するスリット状の孔６０が設けられており、また、板部３２の下側には、前後方向に貫通するスリット状の孔６１が設けられている。
連動部材５５は、鎌片操作体３１の孔６０、６１によって保持されている。具体的には、連動部材５５の板部５５ａの端部５５ｃが孔６１に挿入され、棒部５５ｂが孔６０に挿入されている。そして、板部５５ａは孔６１に挿入された端部５５ｃを中心として回転が可能であり、棒部５５ｂは背面側に向かって傾斜が可能となっている。そして、傾斜すると図１０に示されるように、連動部材５５の端部５５ｃとは反対側で、板部５５ａと、鎌片操作体３１の板部３２との間に隙間ができる。
【００３９】
回転体５６は、図４、図７（ａ）に示すように、棒部５５ｂの背面側に配置している。また、回転体５６は、モード切換錠５７によって回転させることができる。
モード切換錠５７は、図３（ａ）、図３（ｂ）に示されるように、正面側に鍵穴５７ａが露出しており、鍵穴５７ａに所定の合い鍵を挿入・回転することによって、回転体５６を回転させることができる。
【００４０】
モード切換錠５７は回転体５６の回転位置を、棒部５５ｂの背面側への傾斜を認容する位置、及び、阻止する位置のいずれの位置でも、合い鍵を抜き差しすることができる。
【００４１】
図４、図７（ａ）に示すように、棒部５５ｂの背面側（図７（ａ）における右側）に回転体５６と固定ピン５２が配置している。そして、回転体５６の回転位置を変えることにより、棒部５５ｂの背面側への傾斜を認容し、又は阻止する。また、棒部５５ｂの切り欠き５５ｄと固定ピン５２の位置が合致した場合には棒部５５ｂの背面側への傾斜を認容し、切り欠き５５ｄが他の位置の場合には背面側への傾斜を阻止する。棒部５５ｂの切り欠き５５ｄの位置は、施錠状態（鎌片３０が突出した状態）で、固定ピン５２の位置と合致する位置である。
なお、図示しない付勢手段が設けられ、この付勢手段によって棒部５５ｂは背面側に向かう方向に付勢されている。
【００４２】
したがって、回転体５６の回転位置が、棒部５５ｂの背面側への傾斜を認容する位置であり、かつ、切り欠き５５ｄと固定ピン５２の位置が合致している場合には、図示しない付勢手段により棒部５５ｂの背面側へ傾斜する。
そして、棒部５５ｂの背面側へ傾斜すると、固定ピン５２が切り欠き５５ｄに係合するので、この状態では連動部材５５が上下方向に移動させることはできず、鎌片操作体３１も移動させることはできない。
【００４３】
外側引き戸用錠１１には、図１に示すように、受け穴２０と、可動体２１と、図示しない錠部材が設けられている。
受け穴２０は、内側引き戸用錠１０の鎌片３０が進入する部分であり、鎌片３０が受け穴２０に進入して施錠状態とすることができる。
また、図示しない錠部材は所定の合い鍵によってのみ操作することができ、この操作によって、図１に示す可動体２１を操作させることができる。
【００４４】
可動体２１は、上側可動体２１ａと下側可動体２１ｂからなり、上側可動体２１ａ及び下側可動体２１ｂは、軸部２１ｃを軸として回転することができる。そして、上側可動体２１ａは、内側引き戸用錠１０側に突出した状態で下側に向かうように回転することができ、下側可動体２１ｂは、内側引き戸用錠１０側に突出した状態で上側に向かうように回転することができる。また、上側可動体２１ａと下側可動体２１ｂとは、別々に回転させることができるが、これは合い鍵の回転方向を変えることなどによっていずれかを選択して回転させることができる。
【００４５】
可動体２１を回転させる図示しない錠部材の合い鍵は、上記したモード切換錠５７の合い鍵と同じものでもよく、別のものでも良い。同じものを用いた場合には、使用者は合い鍵を２つ持つ必要が無く、便利である。
【００４６】
また、可動体２１の回転によって、内側引き戸用錠１０の鎌片操作体３１を押して上下方向に移動させることができる。具体的には、鎌片操作体３１が上側にある状態（解錠状態）では、板部３２を上側可動体２１ａによって下方向に移動させて、鎌片３０を受け穴２０に進入させて施錠状態とすることができる。また、鎌片操作体３１が下側にある状態（施錠状態）では、板部３２を下側可動体２１ｂによって上方向に移動させて鎌片３０を受け穴２０から退入させて解錠状態とすることができる。
【００４７】
さらに、引き戸用錠１には、図２に示されるように、鎌片突出阻止部材５８が設けられている。鎌片突出阻止部材５８は、内外２枚の引き違いに設けられた内側、外側の引き戸９０、９１が閉じた状態でない場合に鎌片３０の突出を阻止するものであり、鎌片３０の位置が受け穴２０に合わない状態で鎌片３０の突出を防ぐ。具体的には、鎌片突出阻止部材５８は背面側（図２の右手前側）に突出が可能なものであり、鎌片突出阻止部材５８が突出すると鎌片操作体３１が下方へ移動することができない構造となっている。
したがって、内側引き戸用錠１０と外側引き戸用錠１１の位置が合っておらず、鎌片３０の受け穴２０への進入ができない位置では、鎌片操作体３１が下方へ移動できず、誤作動を防止することができる。
【００４８】
次に、引き戸用錠１の施錠解錠操作ついて説明する。
図７、図８に示される状態では、回転体５６は、棒部５５ｂの背面側への傾斜を阻止する位置である。この状態では、連動部材５５の棒部５５ｂは傾斜することができず、棒部５５ｂの切り欠き５５ｄが固定ピン５２に引っ掛かることはない。
【００４９】
したがって、回転体５６によって棒部５５ｂの背面側への傾斜を阻止して移動阻止手段３６による鎌片操作体３１の移動阻止はされず、内側操作部材３７や可動体２１により、施錠・解錠ができる。すなわち、内側操作部材３７の操作摘み５１を押し下げ、或いは、外側引き戸用錠１１の図示しない錠部材を用いて、可動体２１の上側可動体２１ａを回転させて、鎌片操作体３１を下方に移動させ、鎌片３０が退入している解錠状態（図７）から、鎌片３０が進入している施錠状態（図８）へと変えることができる。
また、内側操作部材３７の操作摘み５１を押し上げ、或いは、外側引き戸用錠１１の図示しない錠部材を用いて、可動体２１の下側可動体２１ｂを回転させて、鎌片操作体３１を上方に移動させ、鎌片３０が進入している施錠状態（図８）から、鎌片３０が退入している解錠状態（図７）へと変えることができる。
【００５０】
このように、図７、図８に示される状態では、回転体５６によって、棒部５５ｂの背面側への傾斜を阻止するので、移動阻止手段３６による鎌片操作体３１の移動阻止はされず、通常のものと同様な操作を行うことができる（通常モード）。
【００５１】
また、図７、図８に示される状態から回転体５６を回転させることによって、図９、図１０に示される状態にすることができる。回転体５６の回転は所定の合い鍵を用いてモード切換錠５７を操作することにより行われる。
【００５２】
図９、図１０に示される状態では、回転体５６は、棒部５５ｂの背面側への傾斜を認容する位置である。そして、この回転体５６の位置では、連動部材５５の棒部５５ｂの切り欠き５５ｄの位置が固定ピン５２の位置と合致すると、棒部５５ｂが傾斜して、固定ピン５２が切り欠き５５ｄに係合し、連動部材５５により鎌片操作体３１の移動を阻止する。切り欠き５５ｄが固定ピン５２の位置となるのは、上記したように、図１０に示されるように施錠状態であるので、棒部５５ｂの傾斜を元に戻すようにしなければ解錠することはできない。
なお、解錠状態から施錠状態とする場合には、移動阻止手段３６によって鎌片操作体３１の移動の阻止は行われず、上記と同様に操作することができる。
【００５３】
具体的には、内側操作部材３７の操作摘み５１を押し下げ、或いは、外側引き戸用錠１１の図示しない錠部材を用いて、可動体２１の上側可動体２１ａを回転させて、鎌片操作体３１を下方に移動させ、鎌片３０が退入している解錠状態（図９）から、鎌片３０が進入している施錠状態（図１０）へと変えることができる。
【００５４】
また、鎌片３０が進入している施錠状態（図１０）で、内側操作部材３７の操作摘み５１を押し上げても、固定ピン５２と切り欠き５５ｄとが係合しているので、解錠状態とすることができない。
【００５５】
一方、鎌片３０が進入している施錠状態（図１０）で、外側引き戸用錠１１の図示しない錠部材を用いる場合には解錠状態とすることができる。これは、可動体２１の下側可動体２１ｂを回転させた場合には、板部５５ａを押し上げて、棒部５５ｂの傾斜を元に戻すことができ、固定ピン５２と切り欠き５５ｄとの係合が解けて、鎌片操作体３１の移動が可能となる。そして、鎌片操作体３１を上方に移動させ、鎌片３０が進入している施錠状態（図１０）から、鎌片３０が退入している解錠状態（図７）へと変えることができる。
【００５６】
このように、図９、図１０に示される状態では、棒部５５ｂは背面側への傾斜が回転体５６によって阻止されず、内側操作部材３７によっては解錠操作はできない（内側解錠阻止モード）。
【００５７】
そして、使用の際には、使用者はモードを選択して、引き戸用錠１を使用することができる。
在宅時など、使用者が内部にいる場合には、回転体５６による棒部５５ｂの背面側への傾斜を阻止する通常モードとしておく。このモードでは、内側操作部材３７による施解錠をそのまま行うことができ操作性を低下させることがない。また、外部から正常に解錠（外側引き戸用錠１１に設けられた錠部材の合い鍵による解錠）も可能である。
【００５８】
また、外出時などの使用者が内部にいない時や就寝時など、内側操作部材３７による解錠を行わない場合には、回転体５６による棒部５５ｂは背面側への傾斜が可能な内側解錠阻止モードとしておく。このモードでは、外部から正常に解錠することができるが、内側操作部材３７による解錠は不可となる。
このモードでは、内側操作部材３７を用いて行う不正解錠を防止することができ、また、深夜の帰宅の場合などに、外部から合い鍵によって正常に解錠することができる。
【００５９】
また、在宅時にモード切換錠５７の合い鍵を鍵穴５７ａに挿しこんだ状態にし、就寝時などにこの合い鍵を抜いておくこともできる。このように用いることにより、モードの切換を容易にして、さらに不正解錠を防止することができる。
【００６０】
さらに、可動体２１を回転させる図示しない錠部材の合い鍵と、上記したモード切換錠５７の合い鍵と同じものを用い、外部から正常に解錠するのに用いた合い鍵をモード切換錠５７の鍵穴５７ａに挿しこんだ状態にしておくこともできる。
【図面の簡単な説明】
【００６１】
【図１】本発明の引き戸用錠を示す模式図である。
【図２】内側引き戸用錠を示す分解斜視図である。
【図３】（ａ）は内側引き戸用錠を示す正面図であり、（ｂ）は（ａ）の状態から内側操作部材を取り外した状態を示す正面図である。
【図４】鎌片操作体及び移動阻止手段を示す斜視図である。
【図５】（ａ），（ｂ）は鎌片操作体の上部付近を示した斜視図である。
【図６】（ａ），（ｂ）は連結部材を示した斜視図である。
【図７】鎌片操作体及び移動阻止手段の動きを示す側面図である。
【図８】鎌片操作体及び移動阻止手段の動きを示す側面図である。
【図９】鎌片操作体及び移動阻止手段の動きを示す側面図である。
【図１０】鎌片操作体及び移動阻止手段の動きを示す側面図である。
【図１１】引き戸用錠の取り付け状態を示す斜視図である。
【符号の説明】
【００６２】
１  引き戸用錠
１０  内側引き戸用錠
１１  外側引き戸用錠
２０  受け穴
２１  可動部
３０  鎌片
３１  鎌片操作体
３７  内側操作部材
５２  固定ピン
５５  連動部材
５５ａ  板部
５５ｂ  棒部
５５ｄ  切り欠き
５７  モード切換錠
９０  内側の引き戸
９１  外側の引き戸
【図１】
2006144317.tif 000003
【図２】
2006144317.tif 000004
【図３】
2006144317.tif 000005
【図４】
2006144317.tif 000006
【図５】
2006144317.tif 000007
【図６】
2006144317.tif 000008
【図７】
2006144317.tif 000009
【図８】
2006144317.tif 000010
【図９】
2006144317.tif 000011
【図１０】
2006144317.tif 000012
【図１１】
2006144317.tif 000013